(57)【要約】【課題】画像再生中にメニュー操作等の設定操作を行ったことにより、再生画像が設定画面に隠れて見えにくくなってしまった場合でも、見えにくかった部分の画像を設定操作の終了後に自動的に再生する。【解決手段】ＤＶＤ等の記憶媒体に記録されている画像情報を再生する再生ステップ（ステップＳ１１）と、再生ステップにおいて再生した映像信号を表示する表示ステップ（ステップＳ１２）と、表示された表示画像上に設定調整画像を重ねて表示させる設定調整画像表示信号を検出する検出ステップ（ステップＳ１４）と、を有し、再生ステップにおいて設定調整画像表示信号を検出したときの再生位置を示す再生位置情報に基づき、設定調整画像表示終了信号の入力があると（ステップＳ１５：Ｙｅｓ）再生位置から再生する（ステップＳ１８）。【選択図】図２
2009145523.tif 000002
【特許請求の範囲】
【請求項１】
画像情報格納媒体に記録されている画像情報を再生する画像情報再生部と、
前記画像情報再生部が再生した映像信号を表示する表示部と、
前記表示部によって表示された表示画像上に、前記表示画像以外の設定調整画像を表示させるための設定調整画像表示信号を検出する信号検出部と、
前記画像情報の再生中に前記信号検出部が設定調整画像表示信号を検出したときの再生位置を示す再生位置情報を記憶する再生位置情報記憶部と、を備え、
前記画像情報再生部は、前記再生位置情報に基づき、設定調整画像表示終了信号の入力があると前記再生位置から再生することを特徴とする画像表示装置。
【請求項２】
前記画像情報再生部は、前記再生位置情報記憶部を備え、
前記信号検出部が前記設定調整画像表示信号を検出すると、前記再生位置を前記再生位置情報として記憶すると共に再生を継続し、
前記信号検出部が前記設定調整画像表示終了信号を検出すると、前記記憶した再生位置から再生することを特徴とする請求項１に記載の画像表示装置。
【請求項３】
前記表示部は、前記再生位置情報記憶部を備え、
前記信号検出部が前記設定調整画像表示信号を検出すると、前記再生位置を前記再生位置情報として記憶し、前記信号検出部が前記設定調整画像表示終了信号を検出すると、前記記憶した再生位置から再生するよう前記画像情報再生部に指示することを特徴とする請求項１に記載の画像表示装置。
【請求項４】
請求項１から３の何れかに記載の画像表示装置を備え、
前記表示部が、光源から放射された光を前記映像信号に応じて変調する光変調部と、この光変調部で変調された光を投写する投写部と、を備えたことを特徴とするプロジェクタ。
【請求項５】
画像情報格納媒体に記録されている画像情報を再生する再生ステップと、
前記再生ステップにおいて再生した映像信号を表示する表示ステップと、
前記表示ステップにおいて表示された表示画像上に設定調整画像を重ねて表示させるための設定調整画像表示信号を検出する検出ステップと、を有し、
前記再生ステップにおいて前記設定調整画像表示信号を検出したときの再生位置を示す再生位置情報に基づき、設定調整画像表示終了信号の入力があると前記再生位置から再生することを特徴とする画像表示装置の制御方法。
【発明の詳細な説明】
【技術分野】
【０００１】
本発明は、映像信号を表示する画像表示装置、画像表示装置を備えたプロジェクタ及び画像表示装置の制御方法に関する。
【背景技術】
【０００２】
スクリーン等に画像を投写するプロジェクタは、ホームシアターなどに利用できるため、近年急速に普及してきている。プロジェクタは、光源ランプから放出される光源を映像信号に応じて変調し、変調された信号が投写レンズによって拡大され、投写光がスクリーンに画像として映し出される（例えば、特許文献１参照）。また、液晶プロジェクタとＶＣＲ（Video Cassette Recorder）等の再生装置を同一のキャビネットに収容した一体型のプロジェクタも提案されている（例えば、特許文献２参照）。
【０００３】
ところで、画像調整や各種設定操作を行うと、スクリーン等の投写面に設定画面や調整画面が表示される。通常、画像調整や各種設定操作を行う場合は、まずプロジェクタ本体に設置されているボタンやリモコンのボタンを操作してメニュー画面を表示させ、設定画面や画像調整画面を表示させる必要がある。メニュー画面や設定画面は、通常の投写画像の上に重ねて投写される。映像信号の投写を行っていない場合は、メニュー画面等が単独で表示されるので設定画面を参照しながら設定操作を行えばよい。しかしながら、図４に示すように、映像信号の投写中であれば、メニュー画面等は投写された画像Ｚの上に重なって表示されるので、投写画像Ｚはメニュー画面等によって隠れてしまう。
【０００４】
【特許文献１】特開平０６−１３８４３３号公報
【特許文献２】特開平０７−１１３９９６号公報
【発明の開示】
【発明が解決しようとする課題】
【０００５】
特に、画像調整を行う場合は、ユーザーは映し出される動画をみながら、投写環境に応じて画像調整を行うか否かを判断することが多い。画像調整が必要であれば、画像調整画面を投写画像に重ねて表示させ、カラーモード、明るさ、コントラスト、色の濃さ、色合い、カラー調整等の画像調整を行うため、投写画像が画像調整画面に隠れて見えにくくなってしまう。このため、画像調整中に投写された動画をもう一度見ようとすると、所定の位置まで巻き戻して再生しなければならない。
【０００６】
また、所定の位置まで巻き戻しするにしても、もう一度再生したい所定の位置が見つからず、巻き戻し操作のほか、一時停止操作や早送り操作等を繰り返してやっと再生位置が見つかるような場合も多い。
【０００７】
本発明は、上記課題を解決するためになされてものであって、画像再生中にメニュー操作等の設定操作を行ったことにより、再生画像が設定画面に隠れて見えにくくなってしまった場合でも、見えにくかった部分の画像を設定操作の終了後に自動的に再生することが可能な画像表示装置、画像表示装置を備えたプロジェクタ及び画像表示装置の制御方法を提供することを目的とする。
【課題を解決するための手段】
【０００８】
上記課題を解決することのできる本発明に係る画像表示装置は、画像情報格納媒体に記録されている画像情報を再生する画像情報再生部と、前記画像情報再生部が再生した映像信号を表示する表示部と、前記表示部によって表示された表示画像上に、前記表示画像以外の設定調整画像を表示させるための設定調整画像表示信号を検出する信号検出部と、前記画像情報の再生中に前記信号検出部が設定調整画像表示信号を検出したときの再生位置を示す再生位置情報を記憶する再生位置情報記憶部と、を備え、
前記画像情報再生部は、前記再生位置情報に基づき、設定調整画像表示終了信号の入力があると前記再生位置から再生することを特徴とする。
【０００９】
上記構成によれば、設定調整画像表示終了信号の入力があると、画像情報の再生中に設定調整画像表示信号を検出したときの再生位置から画像情報を再生する。例えば、画像再生中にメニュー操作等の設定操作を行ったことにより、再生画像が設定画面に隠れて見えにくくなってしまった場合でも、設定操作を開始したときの再生位置から再生することができる。したがって、見えにくかった部分の画像を設定操作の終了後に自動的に再生することができる。
【００１０】
また、本発明の画像表示装置において、前記画像情報再生部は、前記再生位置情報を記憶する再生位置情報記憶部を備え、
前記信号検出部が前記設定調整画像表示信号を検出すると、再生位置を前記再生位置情報として記憶すると共に再生を継続し、前記信号検出部が前記設定調整画像表示終了信号を検出すると、前記記憶した再生位置から再生することを特徴とする。
【００１１】
上記構成によれば、画像情報再生部は、信号検出部が設定調整画像表示信号を検出すると、そのときの再生位置を再生位置情報として記憶すると共に再生を継続する。例えば、設定調整操作のうち表示画像の画像調整を行う場合は、ユーザーは表示部に映し出された画像を見ながら、周辺環境に応じた画像調整を行うか否かを判断することが多い。このような場合でも、再生画像を見ながら画像調整を行うことができるとともに、画像調整中に設定画面に隠れて見逃してしまった画像まで自動的に遡って再生することができる。
【００１２】
また、本発明の画像表示装置において、前記表示部は、前記再生位置情報を記憶する再生位置情報記憶部を備え、
前記信号検出部が前記設定調整画像表示信号を検出すると、再生位置を前記再生位置情報として記憶し、前記信号検出部が前記設定調整画像表示終了信号を検出すると、前記記憶した再生位置から再生するよう前記画像情報再生部に指示することを特徴とする。
【００１３】
上記構成によれば、表示部は、信号検出部が設定調整画像表示信号を検出すると、再生位置を再生位置情報として記憶する。したがって、表示部側に再生位置情報を記憶する記憶部を備えた構成としても、画像表示装置を提供することができる。
【００１４】
また、上記課題を解決することのできる本発明は、上記何れかに記載の画像表示装置を備え、前記表示部が、光源から放射された光を前記映像信号に応じて変調する光変調部と、この光変調部で変調された光を投写する投写部と、を備えたことを特徴とするプロジェクタである。
【００１５】
上記構成によれば、プロジェクタ本体あるいはリモコン操作によって設定調整画像表示終了信号の入力があると、画像再生中に設定調整画像表示信号を検出したときの再生位置まで遡って画像再生することができる。これにより、画像再生中にメニュー操作等の設定操作を行ったことにより、プロジェクタの投写面に投写された画像が設定画面に隠れて見えにくくなってしまった場合でも、設定操作を行ったときの再生位置から再生することができる。したがって、設定操作中に見えにくかった部分の投写画像を設定操作の終了後に自動的に再生して投写することができる。
【００１６】
また、上記課題を解決することのできる本発明に係る画像表示装置の制御方法は、画像情報格納媒体に記録されている画像情報を再生する再生ステップと、前記再生ステップにおいて再生した映像信号を表示する表示ステップと、前記表示ステップにおいて表示された表示画像上に設定調整画像を重ねて表示させる設定調整画像表示信号を検出する検出ステップと、を有し、
前記再生ステップにおいて前記設定調整画像表示信号を検出したときの再生位置を示す再生位置情報に基づき、設定調整画像表示終了信号の入力があると前記再生位置から再生することを特徴とする。
【００１７】
上記構成によれば、画像再生中にメニュー操作等の設定操作を行ったことにより、再生画像が設定画面に隠れて見えにくくなってしまった場合でも、設定操作を行ったときの再生位置から再生することができる。したがって、見えにくかった部分の画像を設定操作の終了後に自動的に再生することができる。
【発明を実施するための最良の形態】
【００１８】
以下、図面を参照して本発明に係る画像表示装置、画像表示装置を備えたプロジェクタ及び画像表示装置の制御方法の実施形態について詳細に説明する。
【００１９】
<第１の実施形態>
図１は、本実施形態のプロジェクタの内部構成を示す制御ブロック図である。
以下では、液晶ライトバルブに光を透過させて、透過された映像を拡大してスクリーンに投写する、いわゆる液晶プロジェクタを一実施形態として説明するが、他の方式を採用するプロジェクタを除外するものではない。例えば、微小ミラーアレイデバイスを使用したプロジェクタにも適用することが可能である。
【００２０】
（プロジェクタの内部構成）
本実施形態のプロジェクタ１は、主として画像表示装置１０、電源制御部９、ランプ電源１３を備えている。電源制御部９は、外部からの電源供給を検出すると、所定の電源供給条件にしたがってランプ電源１３に対して電源を供給するとともに、その他の機能部に電源を供給する。
【００２１】
画像表示装置１０は、表示部４、画像情報再生部５、制御部８、キー入力処理部１１を備えている。制御部８とキー入力処理部１１とによって信号検出部が構成される。
さらに表示部４は、映像信号処理部３、画像形成部６（光変調部）、光源部７のほか、図示せぬレンズ等の光学系を備えている。具体的には、少なくとも２枚のダイクロイックミラーを備えている。１つ目のダイクロイックミラーで、Ｒ（赤）の光成分を含む光束と、Ｇ（緑）の光成分とＢ（青）の光成分を含む光束とに分離し、さらに２つ目のダイクロイックミラーで、Ｇ（緑）の光成分とＢ（青）の光成分を含む光束からＧ（緑）の光成分とＢ（青）の光成分とを分離する。こうして、光源部７からの光源ＹをＲＧＢの３つの成分に分離することができる。
【００２２】
画像形成部６は、空間光変調素子であり、ＲＧＢの各光成分に対応して設けられた３つの液晶ライトバルブを備えている。各液晶ライトバルブは、縦横に複数配置された画素から構成される。これらの画素に書き込まれた画像に、２つのダイクロイックミラーによってＲＧＢに分光された各光成分を透過又は反射させる。さらに、各液晶ライトバルブを透過した光を合成するプリズムを備えており、プリズムを介して液晶ライトバルブからの透過光を合成する。合成された透過光は、投写レンズからなる投写部１４によって拡大され、投写光Ｘとして放出されスクリーン２０に画像として映し出される。
【００２３】
映像信号処理部３は、入力された映像信号に対して信号処理を行う。すなわち、後述する映像入力部２から入力された映像信号がアナログ信号の場合は、アナログ/デジタル変換処理を行って所定のデジタル信号フォーマットに変換し、映像の表示状態（例えば、輝度、コントラスト、同期、トラッキング、色の濃さ、色合い等）の調整等を行い、画像形成部６に書き込む画像フレームを生成する。生成された画像フレームは、ＲＧＢの各液晶ライトバルブにそれぞれ書き込まれる。
【００２４】
上述したように、画像形成部６に光源部７から光が供給されると、ＲＧＢの各光成分が、各液晶ライトバルブに表示された画像フレームに応じて変調される。すなわち、表示部４からは、画像形成部６によって変調された透過光が合成され投写光Ｘとして出力される。
【００２５】
画像情報再生部５は、ＤＶＤ（Digital Versatile Disk）、ＨＤ ＤＶＤ（High Definition DVD）やハードディスク等の大容量記憶媒体（画像情報格納媒体）に記録されている画像情報を再生する。本実施形態では、いわゆるＤＶＤ再生装置として機能し、映像入力部２と再生位置情報記憶部１２を備えている。映像入力部２は、再生された画像情報を、映像信号として映像信号処理部３へ出力する。このように、本実施形態のプロジェクタ１は、ＤＶＤ再生装置を内蔵したタイプのＤＶＤ一体型プロジェクタである。
再生位置情報記憶部１２は、表示部４によってスクリーン２０に投写された画面上にメニュー画面等の設定調整画像を表示させる設定調整画像表示信号の入力があると、そのとき再生している画像再生位置を再生位置情報として記憶する。
【００２６】
再生位置情報を記憶する方法としては、例えば、特開２００２−２２３４１１号公報に記載されている方法を採用することができる。すなわち、周知となっているＤＶＤのビデオフォーマットにしたがい、映像入力部２が、設定調整画像表示信号の入力時のセルナンバーと、再生制御情報（ＰＣＩ）とデータサーチ情報（ＤＳＩ）を含むＮＶ_ＰＣＫのアドレスと、を再生位置情報として再生位置情報記憶部１２に記憶すればよい。映像入力部２は、設定調整画像表示を終了させる設定調整画像表示終了信号の入力があると、再生位置情報記憶部１２に記憶した設定調整画像表示信号の入力時のセルナンバーと、ＮＶ_ＰＣＫのアドレスを読み出すことによって、画像情報再生部５は、メニュー画面等が表示されたときの再生位置に遡って再生することができる。
【００２７】
制御部８は、プロジェクタ１の全体動作を統括制御する。キー入力処理部１１は、プロジェクタ本体の操作部やリモコンなどから与えられた入力操作を制御信号として検出する。制御信号は、制御部８を介して解析されて各機能部に伝達される。
制御部８は、キー入力処理部１１から入力された制御信号を解析した結果、ＤＶＤ再生実行指示であると解析すると、映像入力部２に対してＤＶＤ再生を実行するよう指示する。
【００２８】
また、制御部８は、キー入力処理部１１から入力された制御信号を解析した結果、設定調整画像表示信号であると解析すると、映像信号処理部３に対して設定調整画像を表示させるよう指示する。また、映像入力部２に対してそのときのＤＶＤ再生位置を再生位置情報として記憶するとともに再生を継続するよう指示する。
さらに、設定調整画像表示終了信号であると解析すると、映像入力部２に対して、記憶した再生位置情報に基づきＤＶＤ再生位置から再生するよう指示する。
【００２９】
（設定調整画面表示信号を検出したときのＤＶＤ再生方法について）
次に、設定調整画面表示信号及び設定調整画面表示終了信号を検出したときのＤＶＤ再生方法について説明する。図２は、本実施形態のプロジェクタが備える画像表示装置１０が行うＤＶＤ再生方法を説明するためのフローチャートである。
【００３０】
ＤＶＤ再生指示に基づき、画像情報再生部５はＤＶＤ再生を行うと（ステップＳ１１）、表示部４が映像信号としてスクリーン２０に投写する（ステップＳ１２）。キー入力処理部１１が、プロジェクタ本体の操作部やリモコンなどから与えられた入力操作を制御信号として検出すると、制御部８はその制御信号を解析する。解析した結果、メニュー操作を実行するための設定調整画像表示信号であると判断すると（ステップＳ１３：Ｙｅｓ）、表示部４がメニュー画面をスクリーン２０に表示する。続いて、制御部８は、画像情報再生部５においてＤＶＤ再生中か否かを判断する（ステップＳ１４）。ＤＶＤ再生中である場合は（ステップＳ１４：Ｙｅｓ）、映像入力部２はメニュー操作を受け付けたときのＤＶＤ再生位置を取得し、再生位置情報として再生位置情報記憶部１２に記憶する（ステップＳ１５)。一方、メニュー操作を受け付けたときにＤＶＤ再生を実行していない場合は（ステップＳ１４：Ｎｏ）、ＤＶＤ再生位置を取得しない。
【００３１】
再び、キー入力処理部１１が入力操作を制御信号として検出すると（ステップＳ１６：Ｙｅｓ）、制御部８はその制御信号を解析する。解析した結果、メニュー操作を終了するための設定調整画像表示終了信号であるか否かを判断する（ステップＳ１７）。設定調整画像表示終了信号でなければ（ステップＳ１７：Ｎｏ）、他の入力操作に応じた制御信号の解析、処理を行う（ステップＳ１８）。設定調整画像表示終了信号であると判断した場合は（ステップＳ１８：Ｙｅｓ）、再生位置情報記憶部１２に再生位置情報を記憶しているか否かを判断する（ステップＳ１９）。再生位置情報を記憶している場合は（ステップＳ１９：Ｙｅｓ）、映像入力部２は、再生位置情報を読み出して解析し、再生位置に遡ってＤＶＤ再生を行う（ステップＳ２０）。
【００３２】
一方、再生位置情報を記憶していない場合は（ステップＳ１９：Ｎｏ）、再生位置に遡ってＤＶＤ再生を行うことなく、通常通りＤＶＤ再生を継続する。
【００３３】
このように、本実施形態のプロジェクタ１は、プロジェクタ本体あるいはリモコン操作によって設定調整画像表示終了信号の入力があると、ＤＶＤ再生中に設定調整画像表示信号を検出したときの再生位置まで遡ってＤＶＤ再生することができる。これにより、ＤＶＤ再生中にメニュー操作等の設定操作を行ったことにより、スクリーン２０に投写された画像が設定画面に隠れて見えにくくなってしまった場合でも、設定操作を行ったときの再生位置から再生することができる。したがって、設定操作中に見えにくかった部分の画像を設定操作の終了後に自動的に再生して投写することができる。
【００３４】
また、本実施形態のプロジェクタ１において、画像情報再生部５は、キー入力処理部１１が設定調整画像表示信号を検出すると、そのときのＤＶＤ再生位置を再生位置情報として再生位置情報記憶部１２に記憶すると共にＤＶＤ再生を継続する。設定調整操作のうち画像調整を行う場合は、ユーザーはスクリーン２０に映し出された画像を見ながら、プロジェクタ１の投写環境に応じて画像調整を行うか否かを判断することが多い。このような場合でも、動画を見ながら画像調整を行うことができるとともに、画像調整中に設定画面に隠れて見逃してしまったシーンまで自動的に遡って再生することができる。
【００３５】
<第２の実施形態>
上記第１の実施形態におけるプロジェクタ１では、キー入力処理部１１が、入力操作を制御信号として検出し、その制御信号がメニュー操作を実行するための設定調整画像表示信号であると判断すると、画像情報再生部５が備える再生位置情報記憶部１２に再生位置情報を記憶するよう構成されている。第２の実施形態は、表示部４が再生位置情報記憶部１２を備えた構成となっている。図３は、本実施形態のプロジェクタの変形例を示す内部ブロック図である。
【００３６】
図３に示すように、表示部４は、再生位置情報記憶部１２を備えている。キー入力処理部１１が設定調整画像表示信号を検出すると、映像信号処理部３を介してそのときのＤＶＤ再生位置を再生位置情報として、表示部４が備える再生位置情報記憶部１２に記憶する。キー入力処理部１１が設定調整画像表示終了信号を検出すると、記憶したＤＶＤ再生位置から再生するよう画像情報再生部５に指示する。
【００３７】
この場合、再生位置情報である、設定調整画像表示信号の入力時のセルナンバーと、再生制御情報（ＰＣＩ）とデータサーチ情報（ＤＳＩ）を含むＮＶ_ＰＣＫのアドレスと、は映像信号入力部２から映像信号と共に入力されるよう設定しておいてもよい。映像信号と共に再生位置情報が映像信号入力部２から入力されれば、映像信号処理部３を介して再生位置情報記憶部１２に、再生位置情報を記憶することができる。
【００３８】
また、設定調整画像表示信号の入力があった時に、制御部８が映像入力部２に対して再生位置を通知するよう指示し、映像入力部２から通知された再生位置情報を表示部４の再生位置情報記憶部１２に記憶してもよい。
また、再生位置情報記憶部１２は、画像表示装置１０が備えていればよく、画像情報再生部５や表示部４以外に備えていても良い。
【００３９】
なお、上記実施形態では、表示部４と画像情報再生部５とが一体となったプロジェクタ１を例にして説明したが、必ずしも一体である必然性はなく別体であってもよい。
【図面の簡単な説明】
【００４０】
【図１】本実施形態のプロジェクタの内部構成を示す制御ブロック図である。
【図２】本実施形態のプロジェクタが備える画像表示装置が行うＤＶＤ再生方法を説明するためのフローチャートである。
【図３】本実施形態のプロジェクタの変形例を示す内部ブロック図である。
【図４】従来のプロジェクタにおいて投写中に設定画面を表示させた場合の模式図である。
【符号の説明】
【００４１】
１：プロジェクタ、２：映像入力部、３：映像信号処理部、４：表示部、５：画像情報再生部、６：画像形成部、７：光源部、８：制御部、９：電源制御部、１０：画像表示装置、１１：キー入力処理部、１２：再生位置情報記憶部、１３：ランプ電源、１４：投写部、２０：スクリーン
【図１】
2009145523.tif 000003
【図２】
2009145523.tif 000004
【図３】
2009145523.tif 000005
【図４】
2009145523.tif 000006